(57)【特許請求の範囲】
【請求項１】
冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷凍サイクルで構成され、前記第二熱交換器の下部にドレンパンを配置し、前記ドレンパンの上部にドレンポンプを設け、前記ドレンポンプにドレン排水パイプを設け、前記ドレンパンの底部にドレン溜り部を設け、前記ドレンパンの側面から前記ドレン溜り部に向かって傾斜部を設け、前記ドレン溜り部に固定手段を設け抗菌部材を固定させ、前記傾斜部に凹部を設け、前記凹部に抗菌部材を嵌合させ、前記凹部と前記抗菌部材の形状を、多角状にし複数列設けたものであって、ドレンポンプ吸入口にドレン給水パイプを設け、前記ドレン給水パイプが前記ドレンパン上を移動することを特徴とする浴室換気空調装置。
【発明の詳細な説明】
【技術分野】
【０００１】
本発明は、浴室換気空調装置のスライム発生防止するためのドレンパンに関する。
【背景技術】
【０００２】
浴室換気空調装置を冷房運転または除湿運転すると、浴室換気空調装置に導かれた空気は熱交換器で冷却するとともに、空気中の水分が凝縮しドレン水としてドレンパンに溜まる。このドレン水はドレンパンよりドレンポンプで吸い上げられ、ドレンホースによって浴室換気空調装置外へ排出されるが、ドレンパンにドレン水が溜まった時、ドレン水に微生物が繁殖し粘性の高い物質（スライム菌）に序々に変化し、ドレンポンプやドレンホースを詰まらせたりしていた。
【特許文献１】特開２００２−２５７４００号公報
【発明の開示】
【発明が解決しようとする課題】
【０００３】
このような従来の浴室換気空調装置では、ドレン水を排水する際スライム菌も一緒に排水されるが、そのスライム菌がドレンポンプあるいはドレン排水パイプを通過する際序々に堆積し、ドレン水の排水が序々に悪くなり、最終的には排水されなくなるという課題がある。
【０００４】
本発明は、このような従来の課題を解決するものであり、ドレン水にスライム菌が存在していてもドレンポンプあるいはドレン排水パイプにスライム菌が堆積せず、ドレン水の排水を常に良くする浴室換気空調装置を提供することを目的とする。
【課題を解決するための手段】
【０００５】
本発明の浴室換気空調装置は、上記目的を達成するために、冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷凍サイクルで構成された浴室換気空調装置において、前記第二熱交換器の下部にドレンパンを配置し、前記ドレンパンの上部にドレンポンプを設け、前記ドレンポンプにドレン排水パイプを設けたものである。
【０００６】
また、他の手段は、ドレンパンの底部にドレン溜り部を設け、前記ドレンパンの側面から前記ドレン溜り部に向かって傾斜部を設け、前記ドレン溜り部に固定手段を設け抗菌部材を固定させたものである。
【０００７】
また、他の手段は、抗菌部材を、プレートに抗菌剤を練り込んだものである。
【０００８】
また、他の手段は、抗菌部材を、プレートの表面に抗菌剤入りの液体で覆わせたものである。
【０００９】
また、他の手段は、抗菌部材を、顆粒状の抗菌剤にしたものである。
【００１０】
また、他の手段は、抗菌部材を、粉状の抗菌剤にしたものである。
【００１１】
また、他の手段は、傾斜部に凹部を設け、前記凹部に抗菌部材を嵌合させたものである。
【００１２】
また、他の手段は、凹部と抗菌部材の形状を、丸状にするものである。
【００１３】
また、他の手段は、凹部と抗菌剤の形状を、多角状にし複数列設けたものである。
【００１４】
また、他の手段は、ドレンポンプの吸入口であるドレンポンプ吸入口が、ドレンパン上を移動するものである。
【００１５】
また、他の手段は、ドレンポンプが、ドレンパン上を移動するものである。
【００１６】
また、他の手段は、ドレンポンプ吸入口にドレン給水パイプを設け、前記ドレン給水パイプがドレンパン上を移動するものである。
【発明の効果】
【００１７】
本発明によれば、冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルで構成された浴室換気空調装置において、前記第二熱交換器の下部にドレンパンを配置し、前記ドレンパンの上部にドレンポンプを設け、前記ドレンポンプにドレン排水パイプを設けたことにより、ドレン水のスライム菌を防止して、ドレン排水ポンプの詰まりを防止することができるという効果のある浴室換気空調装置を提供することができる。
【００１８】
また、ドレンパンの底部にドレン溜り部を設け、前記ドレンパンの側面から前記ドレン溜り部に向かって傾斜部を設け、前記ドレン溜り部に固定手段を設け抗菌部材を固定させたことにより、ドレンパンのスライム菌を確実に防止することができるという効果のある浴室換気空調装置を提供することができる。
【００１９】
また、抗菌部材を、プレートに抗菌剤を練り込んだことにより、抗菌剤の効果を長期に持続させることができるという効果のある浴室換気空調装置を提供することができる。
【００２０】
また、抗菌部材を、プレートの表面に抗菌剤入りの液体で覆わせたことにより、抗菌剤の効果を長期に持続させることができる、かつ、容易に作製することができるという効果のある浴室換気空調装置を提供することができる。
【００２１】
また、抗菌部材を、顆粒状の抗菌剤にしたことにより、抗菌剤の効果を有効に活用することができるという効果のある浴室換気空調装置を提供することができる。
【００２２】
また、抗菌部材を、粉状の抗菌剤にしたことにより、より抗菌剤の効果を有効に活用することができるという効果のある浴室換気空調装置を提供することができる。
【００２３】
また、傾斜部に凹部を設け、前記凹部に抗菌部材を嵌合させたことにより、ドレン溜り部に到達するまでに、スライム菌の繁殖を防止することができるという効果のある浴室換気空調装置を提供することができる。
【００２４】
また、凹部と抗菌部材の形状を、丸状にすることにより、抗菌剤を容易に取り付けることができ、かつ、取替え次期を一目で把握することができるという効果のある浴室換気空調装置を提供することができる。
【００２５】
また、凹部と抗菌部材の形状を、多角状にし複数列設けたことにより、ドレン水が確実に抗菌剤に接触し、スライム菌の繁殖を防止することができるという効果のある浴室換気空調装置を提供することができる。
【００２６】
また、ドレンポンプの吸入口であるドレンポンプ吸入口が、ドレンパン上を移動することにより、ドレンパンのドレン水を、確実に排水することができ、スライム菌菌の繁殖を防止することができるという効果のある浴室換気空調装置を提供することができる。
【００２７】
また、ドレンポンプが、ドレンパン上を移動することにより、ドレンパンのドレン水を、確実に排水することができ、スライム菌の繁殖を防止することができるという効果のある浴室換気空調装置を提供することができる。
【００２８】
また、ドレンポンプ吸入口にドレン給水パイプを設け、前記ドレン給水パイプがドレンパン上を移動することにより、製品寸法を大きくせず、ドレンパンのドレン水を、確実に排水することができ、スライム菌の繁殖を防止することができるという効果のある浴室換気空調装置を提供することができる。
【発明を実施するための最良の形態】
【００２９】
本発明の浴室換気空調装置は、冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷凍サイクルで構成された浴室換気空調装置において、前記第二熱交換器の下部にドレンパンを配置し、前記ドレンパンの上部にドレンポンプを設け、前記ドレンポンプにドレン排水パイプを設けたものであり、第二熱交換からでるドレン水がドレンパンに溜り、そのドレン水をドレンポンプによりドレンパイプに導き、浴室換気空調装置外へ排水するという作用を有する。
【００３０】
また、ドレンパンの底部にドレン溜り部を設け、前記ドレンパンの側面から前記ドレン溜り部に向かって傾斜部を設け、前記ドレン溜り部に固定手段を設け抗菌部材を固定させたものであり、ドレン水が傾斜部に沿ってドレン溜り部に導かれ、ドレン溜り部設けた抗菌材に接触し、スライム菌の繁殖を抑制するという作用を有する。
【００３１】
また、抗菌部材を、プレートに抗菌剤を練り込んだものであり、プレートから抗菌剤の成分が、徐々に溶出していくという作用を有する。
【００３２】
また、抗菌部材を、プレートの表面に抗菌剤入りの液体で覆わせたものであり、塗装してあるため、ドレン水と直接接触し徐々に溶出し、また、液体の抗菌剤にプレートを含浸するという作用を有する。
【００３３】
また、抗菌部材を、顆粒状の抗菌剤にしたものであり、ドレン水と抗菌剤の接触面積を増やすという作用を有する。
【００３４】
また、抗菌部材を、粉状の抗菌剤にしたものであり、ドレン水と抗菌剤の接触面積を増やすという作用を有する。
【００３５】
また、傾斜部に凹部を設け、前記凹部に抗菌部材を嵌合させたものであり、ドレン水は、ドレンパンの傾斜部設けた抗菌剤に接触しながらドレン溜り部に流れるという作用を有する。
【００３６】
また、凹部と抗菌部材の形状を、丸状にするとしたものであり、抗菌剤の向きを考えずに取り付けれ、ドレン水によって抗菌剤が徐々に体積が減少するという作用を有する。
【００３７】
また、凹部と抗菌剤の形状を、多角状にし複数列設けたものであり、ドレン水は、ドレンパンの傾斜部設けた抗菌剤にランダムに接触しながらドレン溜り部に流れるという作用を有する。
【００３８】
また、ドレンポンプの吸入口であるドレンポンプ吸入口が、ドレンパン上を移動するとしたものであり、ドレンパン一側面から対向する側面の間を、ドレンポンプ吸込口が移動するという作用を有する。
【００３９】
また、ドレンポンプが、ドレンパン上を移動するとしたものであり、ドレンパン一側面から対向する側面の間を、ドレンポンプが移動するという作用を有する。
【００４０】
また、ドレンポンプ吸入口にドレン給水パイプを設け、前記ドレン給水パイプがドレンパン上を移動するとしたものであり、ドレンパン一側面から対向する側面の間を、ドレン給水パイプが移動するという作用を有する。
【００４１】
以下、本発明の実施の形態について、図面を参照しながら説明する。
【００４２】
（実施の形態１）
図１に示すように、冷媒を圧縮する圧縮機１と、通過する空気に放熱するための第一熱交換器２と、前記冷媒を膨張するための膨張機構３と、前記通過する空気から吸熱するための第二熱交換器４とを順に連結し、前記冷媒を流通させるための冷凍サイクルで構成された浴室換気空調装置５において、前記第二熱交換器４の下部にドレンパン６を配置し、前記ドレンパン６の上部にドレンポンプ７を設け、前記ドレンポンプ７にドレン排水パイプ８を設けた構成とする。
【００４３】
上記構成により、第二熱交換器４からでるドレン水がドレンパン６に溜り、そのドレン水をドレンポンプ７によりドレン排水パイプ８に導き、浴室換気空調装置５外へ排水する。
【００４４】
このように本発明の実施の形態１の浴室換気空調装置５によれば、ドレン水のスライム菌を防止して、ドレン排水パイプ８の詰まりを防止することができることとなる。
【００４５】
（実施の形態２）
図２に示すように、ドレンパン６の底部にドレン溜り部９を設け、前記ドレンパン６の側面から前記ドレン溜り部９に向かって傾斜部１０を設け、前記ドレン溜り部９部に固定手段１１を設け抗菌部材１２を固定させた構成とする。
【００４６】
上記構成により、ドレン水が傾斜部１０に沿ってドレン溜り部９部に導かれ、ドレン溜り部９部設けた抗菌材に接触し、スライム菌の繁殖を抑制する。
【００４７】
このように本発明の実施の形態２の浴室換気空調装置５によれば、ドレンパン６のスライム菌を確実に防止することができることとなる。
【００４８】
（実施の形態３）
図３に示すように、抗菌部材１２を、プレート１３に抗菌剤を練り込んだ構成とする。
【００４９】
上記構成により、プレート１３から抗菌剤の成分が、徐々に溶出していく。
【００５０】
このように本発明の実施の形態３の浴室換気空調装置５によれば、抗菌剤の効果を長期に持続させることができることとなる。
【００５１】
（実施の形態４）
図４に示すように、抗菌部材１２を、プレート１３の表面に抗菌剤入りの液体１４で覆わせた構成とする。
【００５２】
上記構成により、塗装してあるため、ドレン水と直接接触し徐々に溶出し、また、液体１４の抗菌剤にプレート１３を含浸する。
【００５３】
このように本発明の実施の形態４の浴室換気空調装置５によれば、抗菌剤の効果を長期に持続させることができる、かつ、容易に作製することができることとなる。
【００５４】
（実施の形態５）
図５に示すように、抗菌部材１２を、顆粒状１５の抗菌剤にした構成とする。
【００５５】
上記構成により、ドレン水と抗菌剤の接触面積を増やす。
【００５６】
このように本発明の実施の形態５の浴室換気空調装置５によれば、抗菌剤の効果を有効に活用することができることとなる。
【００５７】
（実施の形態６）
図６に示すように、抗菌部材１２を、粉状１６の抗菌剤にした構成とする。
【００５８】
上記構成により、ドレン水と抗菌剤の接触面積を増やす。
【００５９】
このように本発明の実施の形態６の浴室換気空調装置５によれば、より抗菌剤の効果を有効に活用することができることとなる。
【００６０】
（実施の形態７）
図７に示すように、傾斜部１０に凹部１７を設け、前記凹部１７に抗菌部材１２を嵌合させ、また抗菌部材１２の形状を、丸状１８にする構成とする。
【００６１】
上記構成により、ドレン水は、ドレンパン６の傾斜部１０設けた抗菌剤に接触しながらドレン溜り部９部に流れる。また、抗菌剤の向きを考えずに取り付けれ、ドレン水によって抗菌剤が徐々に体積が減少する。
【００６２】
このように本発明の実施の形態７の浴室換気空調装置５によれば、ドレン溜り部９部に到達するまでに、スライム菌の繁殖を防止することができ、さらに、抗菌剤を容易に取り付けることができ、かつ、取替え時期を一目で把握することができることとなる。
【００６３】
（実施の形態８）
図８に示すように、凹部１７と抗菌部材の形状を、多角状１９にし複数列設けた構成とする。
【００６４】
上記構成により、ドレン水は、ドレンパン６の傾斜部１０設けた抗菌剤にランダムに接触しながらドレン溜り部９に流れる。
【００６５】
このように本発明の実施の形態８の浴室換気空調装置５によれば、ドレン水が確実に抗菌剤に接触し、スライム菌の繁殖を防止することができることとなる。
【００６６】
（実施の形態９）
図９に示すように、ドレンポンプ７の吸入口であるドレンポンプ吸入口２０が、ドレンパン６上を移動する構成とする。すなわち、ドレンポンプ７が、ドレンパン６上を移動する構成とする。
【００６７】
上記構成により、ドレンパン６一側面から対向する側面の間を、ドレンポンプ７が移動する。
【００６８】
このように本発明の実施の形態９の浴室換気空調装置５によれば、ドレンパン６のドレン水を、確実に排水することができ、スライム菌の繁殖を防止することができることとなる。
【００６９】
（実施の形態１０）
図１０に示すように、ドレンポンプ吸入口２０にドレン給水パイプ２１を設け、前記ドレン給水パイプ２１がドレンパン６上を移動する構成とする。
【００７０】
上記構成により、ドレンパン６一側面から対向する側面の間を、ドレン給水パイプ２１が移動する。
【００７１】
このように本発明の実施の形態１０の浴室換気空調装置５によれば、ドレンパン６のドレン水を、確実に排水することができ、スライム菌の繁殖を防止することができることとなる。また、製品寸法を大きくせず、ドレンパン６のドレン水を、確実に排水することができ、スライム菌の繁殖を防止することができることとなる。
【産業上の利用可能性】
【００７２】
本発明にかかる浴室換気空調装置は、ドレンパンに取り付けた抗菌部材を用いて容易にスライム発生を防止でき、また、ドレンパンのドレン水がドレンパンに溜らなく、さらに澱まなくすることができるので、菌の発生や繁殖する装置等にも適用できる。
【図面の簡単な説明】
【００７３】
【図１】本発明の実施の形態１の浴室換気空調装置の構成を示す断面図
【図２】本発明の実施の形態２の浴室換気空調装置のドレンパンの構成図
【図３】本発明の実施の形態３の浴室換気空調装置のドレンパンの構成図
【図４】本発明の実施の形態４の浴室換気空調装置のドレンパンの構成図
【図５】本発明の実施の形態５の浴室換気空調装置のドレンパンの構成図
【図６】本発明の実施の形態６の浴室換気空調装置のドレンパンの構成図
【図７】本発明の実施の形態７の浴室換気空調装置のドレンパンの構成図
【図８】本発明の実施の形態８の浴室換気空調装置のドレンパンの構成図
【図９】本発明の実施の形態９の浴室換気空調装置のドレンパンの構成図
【図１０】本発明の実施の形態１０の浴室換気空調装置のドレンパンの構成図
【符号の説明】
【００７４】
１    圧縮機
２    第一熱交換器
３    膨張機構
４    第二熱交換器
５    浴室換気空調装置
６    ドレンパン
７    ドレンポンプ
８    ドレン排水パイプ
９    ドレン溜り部
１０  傾斜部
１１  固定手段
１２  抗菌部材
１３  プレート
１４  液体
１５  顆粒状
１６  粉状
１７  凹部
１８  丸状
１９  多角状
２０  ドレンポンプ吸入口
２１  ドレン給水パイプ
【図１】
0005131039.tif 000002
【図２】
0005131039.tif 000003
【図３】
0005131039.tif 000004
【図４】
0005131039.tif 000005
【図５】
0005131039.tif 000006
【図６】
0005131039.tif 000007
【図７】
0005131039.tif 000008
【図８】
0005131039.tif 000009
【図９】
0005131039.tif 000010
【図１０】
0005131039.tif 000011